(57)【要約】【課題】洗浄が不要で、防水防浸性能を有し、速やかに清掃可能で、時間を節約し、快適に使用することができる、医療用マットレスパッド及び汚物容器を提供する。【解決手段】医療用マットレスパッド及び汚物容器は、医療用マットレスパッド２、ベッド本体３及び収容アセンブリ４を備える。医療用マットレスパッド２の表面には、防水層２１が形成される。防水層２１の略中央部には、貫通孔２２が形成され、貫通孔２２に隣接した位置には、パッド２３１を有するマットレスパッド蓋２３が接続される。ベッド本体３には、マットレス３１が載置される。マットレス３１には、マットレスパッド蓋２３に対応した位置に凹部３２が設けられる。収容アセンブリ４の環状の収容座４１内部には貫通空間が形成される。収容座４１の上縁に設けられた段差部４１１の縁部には、縁部に延設された枢着部４１２を介してカバー部４４が接続される。【選択図】図４
0003209321.tif 000002
【実用新案登録請求の範囲】
【請求項１】
医療用マットレスパッド、ベッド本体及び収容アセンブリを備えた医療用マットレスパッド及び汚物容器であって、
前記医療用マットレスパッドの表面には、防水層が形成され、該防水層の略中央部には、貫通孔が形成され、該貫通孔に隣接した位置には、パッドを有するマットレスパッド蓋が接続され、
前記ベッド本体には、マットレスが載置され、該マットレスには、前記マットレスパッド蓋に対応した位置に凹部が設けられ、
前記収容アセンブリの環状の収容座内部には貫通空間が形成され、前記収容座の上縁に設けられた段差部の縁部には、該縁部に延設された枢着部を介してカバー部が接続され、該カバー部には袋体が取り付けられ、該袋体の開口にはワッシャが設けられ、
前記ベッド本体に前記医療用マットレスパッドが設置されると、前記医療用マットレスパッドの前記貫通孔が前記マットレスの前記凹部に対応し、前記収容アセンブリが前記貫通孔に挿通されて前記マットレスの前記凹部に設置され、
前記医療用マットレスパッドの前記マットレスパッド蓋は、前記貫通孔及び前記凹部に対応した位置で開閉可能であることを特徴とする医療用マットレスパッド及び汚物容器。
【請求項２】
前記マットレスパッド蓋は、前記パッドの周側に延設された延伸部及び結合部を有するとともに、前記結合部を介して前記防水層に結合されることを特徴とする請求項１に記載の医療用マットレスパッド及び汚物容器。
【請求項３】
前記収容座の上縁には、前記段差部が設けられ、
前記段差部の縁部に延設された前記枢着部には、前記カバー部が対応して結合されることを特徴とする請求項１に記載の医療用マットレスパッド及び汚物容器。
【請求項４】
前記袋体には、前記ワッシャが圧着され、
前記収容座の空間内には、前記カバー部が固設されることを特徴とする請求項１に記載の医療用マットレスパッド及び汚物容器。
【請求項５】
前記袋体の前記開口には、弾性部が設けられることを特徴とする請求項４に記載の医療用マットレスパッド及び汚物容器。                                                            
【考案の詳細な説明】
【技術分野】
【０００１】
本考案は、医療用マットレスパッド及び汚物容器に関するものであり、さらに詳しくは、マットレスを医療用マットレスパッドに任意に交換し、着脱が容易である上、収容アセンブリを取り出して袋体と交換することができ、洗浄が不要であり、防水・防浸性能を有し、速やかに清掃可能で、時間を節約し、快適に使用することができる、医療用マットレスパッド及び汚物容器に関するものである。
【背景技術】
【０００２】
図１及び図２に示すように、従来技術の医療用ベッドの構造は、ベッド本体１、マットレス１１及び便受けカップ１２を含む。
【０００３】
従来、患者１３がベッド本体１のマットレス１１上に横たわって便受けカップ１２を使用するとき、苦労して患者１３をマットレス１１の側部へ移動させる必要があった。もし患者が重症である場合、リフト型支援装置などによりマットレス１１から患者１３を適宜な高さまで吊り上げてから、便受けカップ１２を患者１３の臀部下の対応した位置へ設置し、患者１３の姿勢を変えるか、吊り下げて便受けカップ１２上に横たわらせると、患者１３の臀部が高くなって頭部及び脚部の両端が低くなるため、不快で不自然な姿勢で排泄しなければならず、この方式は常に患者１３がマットレス１１上で排泄する際に力を加え難い上、排泄過程で汚物が溢れたりマットレス１１に滲み出したりすることがあり、患者１３の衣類が汚れる場合、頻繁に交換したり、マットレス１１を洗浄したりしなければならず、患者を世話する者の時間及び体力を非常に浪費しなければならず、患者１３の健康の回復に悪影響を与えたりすることが指摘されてきた。
【考案の概要】
【考案が解決しようとする課題】
【０００４】
本考案の第１の課題は、マットレスを平坦して使用することができ、患者が不快に感じることを防ぎ、患者を不必要に移動させる必要もなく、介護時間を大幅に減らして看護スタッフの体力消耗を防ぎ、患者の健康回復に与える悪影響を防ぐことができる医療用マットレスパッド及び汚物容器を提供することにある。
本考案の第２の課題は、時間及び労力を多くかけて洗浄しなくともよく、防水・防浸性能を有し、排泄物による汚染の発生を防ぐ、医療用マットレスパッド及び汚物容器を提供することにある。
本考案の第３の課題は、速やかに交換して使用することができる、医療用マットレスパッド及び汚物容器を提供することにある。
【課題を解決するための手段】
【０００５】
そこで、本考案者は、本考案の前記課題を解決するため鋭意検討を重ねた結果、第１の課題に対しては、収容アセンブリをマットレスの凹部に設置することにより、使用する際、マットレスを平坦にすることができ、前記課題を解決できることに着目した。また、第２の課題に対しては、医療用マットレスパッドをいつでも交換可能とすることにより、第３の課題に対しては、着脱可能とすることにより、それぞれ解決可能とできることに着目し、かかる知見に基いて本考案に想到するに至った。
すなわち、本考案の第１の目的は、収容アセンブリをマットレスの凹部に設置し、使用する際、マットレスを平坦にするため、患者が不快に感じることを防ぎ、患者を不必要に移動させる必要もなく、介護時間を大幅に減らして看護スタッフの体力消耗を防ぎ、患者の健康回復に悪影響を与えることを防ぐ、医療用マットレスパッド及び汚物容器を提供することにある。
本考案の第２の目的は、医療用マットレスパッドをいつでも交換することができるため、時間及び労力を多くかけて洗浄しなくともよく、防水・防浸性能を有し、排泄物による汚染の発生を防ぐ、医療用マットレスパッド及び汚物容器を提供することにある。
本考案の第３の目的は、着脱が容易で、速やかに交換して使用することができる、医療用マットレスパッド及び汚物容器を提供することにある。
（１）  医療用マットレスパッド、ベッド本体及び収容アセンブリを備えた医療用マットレスパッド及び汚物容器であって、
前記医療用マットレスパッドの表面には、防水層が形成され、該防水層の略中央部には、貫通孔が形成され、該貫通孔に隣接した位置には、パッドを有するマットレスパッド蓋が接続され、
前記ベッド本体には、マットレスが載置され、該マットレスには、前記マットレスパッド蓋に対応した位置に凹部が設けられ、
前記収容アセンブリの環状の収容座内部には貫通空間が形成され、前記収容座の上縁に設けられた段差部の縁部には、該縁部に延設された枢着部を介してカバー部が接続され、該カバー部には袋体が取り付けられ、該袋体の開口にはワッシャが設けられ、
前記ベッド本体に前記医療用マットレスパッドが設置されると、前記医療用マットレスパッドの前記貫通孔が前記マットレスの前記凹部に対応し、前記収容アセンブリが前記貫通孔に挿通されて前記マットレスの前記凹部に設置され、
前記医療用マットレスパッドの前記マットレスパッド蓋は、前記貫通孔及び前記凹部に対応した位置で開閉可能であることを特徴とする医療用マットレスパッド及び汚物容器。
（２）前記マットレスパッド蓋は、前記パッドの周側に延設された延伸部及び結合部を有するとともに、前記結合部を介して前記防水層に結合されることを特徴とする前記（１）に記載の医療用マットレスパッド及び汚物容器。
（３）前記収容座の上縁には、前記段差部が設けられ、
前記段差部の縁部に延設された前記枢着部には、前記カバー部が対応して結合されることを特徴とする前記（１）に記載の医療用マットレスパッド及び汚物容器。
（４）前記袋体には、前記ワッシャが圧着され、
前記収容座の空間内には、前記カバー部が固設されることを特徴とする前記（１）に記載の医療用マットレスパッド及び汚物容器。
（５）前記袋体の前記開口には、弾性部が設けられることを特徴とする前記（４）に記載の医療用マットレスパッド及び汚物容器。
【考案の効果】
【０００６】
本考案は、前記の通りの構成からなるものであり、後に詳述するように、収納アセンブリにより袋体を容易に取り出して交換できるので、頻繁に汚物を洗浄する必要がなく、また、防水・防浸性能にも優れ、作業効率にも優れた効果を奏する。
【図面の簡単な説明】
【０００７】
【図１】図１は、従来技術の医療用ベッドを示す斜視図である。
【図２】図２は、従来技術の医療用ベッドを示す側面図である。
【図３】図３は、本考案の一実施形態に係る医療用マットレスパッド及び汚物容器を示す斜視図である。
【図４】図４は、本考案の一実施形態に係る医療用マットレスパッド及び汚物容器を示す分解斜視図である。
【考案を実施するための形態】
【０００８】
図３及び図４を参照する。図３及び図４に示すように、本考案の一実施形態に係る医療用マットレスパッド及び汚物容器は、少なくとも医療用マットレスパッド２、ベッド本体３及び収容アセンブリ４から構成されてなる。
【０００９】
医療用マットレスパッド２の表面には、防水層２１が形成される。防水層２１の略中央部には、貫通孔２２が形成される。貫通孔２２に隣接した位置には、パッド２３１を有するマットレスパッド蓋２３が接続される。マットレスパッド蓋２３は、パッド２３１の周側に延設された延伸部２３２及び結合部２３３を有するとともに、結合部２３３を介して防水層２１に結合される。
【００１０】
ベッド本体３には、マットレス３１が載置される。マットレス３１には、マットレスパッド蓋２３に対応した位置に凹部３２が設けられる。
【００１１】
収容アセンブリ４の環状の収容座４１内部には貫通空間が形成される。前述した収容座４１の上縁に設けられた段差部４１１の縁部には、縁部に延設された枢着部４１２を介し、開口を開閉可能なカバー部４４が一体成形される。このカバー部４４には、ワッシャ４３とともに収容座４１の空間内に袋体４２が取り付けられ、袋体４２の開口には弾性部４２１が設けられる。
【００１２】
上述した医療用マットレスパッド２は、いつでも交換して前述したベッド本体３のマットレス３１上に取り付けることができ、実際に組み立てて使用する場合、まず、患者の体を医療用マットレスパッド２のマットレスパッド蓋２３から離れた適宜な側部へ移動させてから、医療用マットレスパッド２のマットレスパッド蓋２３を跳ね上げ、前述した袋体４２の弾性部４２１を前述した収容座４１の空間内へ嵌入させ、上述した袋体４２がワッシャ４３を介して圧着された後、カバー部４４を前述した収容座４１の空間内へ固設し、対応して結合して収容アセンブリ４が形成され、前述した防水層２１の貫通孔２２がマットレス３１の凹部３２に対応し、前述した収容アセンブリ４を貫通孔２２に挿通してからマットレス３１の凹部３２に配置し、患者の体をベッド本体３の略中央部へ戻し、患者が使用する際に平坦で快適であり、体の姿勢を変えたり吊り下げたりして移動させる必要がないため、速やかに、かつ容易に使用することができ、世話をする者及び患者の移動時間を節約することができる。
【００１３】
患者が排泄を完了した後、患者を医療用マットレスパッド２から遠いマットレスパッド蓋２３の一側を適宜清潔にした後、前述した収容アセンブリ４全体を取り出してから、医療用マットレスパッド２のマットレスパッド蓋２３を貫通孔２２及びマットレス３１の凹部３２に対応させて嵌入させると、一般の平坦で快適なベッド本体３のようなものに回復し、着脱が容易で、収容アセンブリ４により袋体４２を容易に取り出して交換し、頻繁に汚物を洗浄する必要がなく、洗浄が不要で、防水・防浸性能を有し、速やかに清掃可能で、患者を世話する者の時間及び手間を節約し、患者が不快に感じたり健康の回復に悪影響を与えたりすることを防ぐ。
【符号の説明】
【００１４】
１  ベッド本体
２  医療用マットレスパッド
３  ベッド本体
４  収容アセンブリ
１１  マットレス
１２  便受けカップ
１３  患者
２１  防水層
２２  貫通孔
２３  マットレスパッド蓋
３１  マットレス
３２  凹部
４１  収容座
４２  袋体
４３  ワッシャ
４４  カバー部
２３１  パッド
２３２  延伸部
２３３  結合部
４１１  段差部
４１２  枢着部
４２１  弾性部
【図１】
0003209321.tif 000003
【図２】
0003209321.tif 000004
【図３】
0003209321.tif 000005
【図４】
0003209321.tif 000006